【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
複数のデバイスそれぞれに対応するデバイス情報に基づいて、前記複数のデバイスそれぞれが能動的にデータ通信を開始できる外部装置からの指示に従って受動的に外部装置とのデータ通信を実行するタイプであるか否かを示す情報を含む、複数のデバイスの組み合わせを記述した転送情報を生成する生成手段と、
生成された前記転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスとデータ通信を能動的に開始する受信手段と、
選択された前記転送情報に示された第二のデバイスが前記タイプである場合、受信した画像データを前記第二のデバイスに送信するために、前記第二のデバイスとデータ通信を能動的に開始する送信手段と
を備えることを特徴とするデータ送信システム。
【請求項２】
前記受信手段は、前記第一のデバイスを制御するために、選択された前記転送情報を前記第一のデバイスに送信し、
前記送信手段は、前記第二のデバイスを制御するために、選択された前記転送情報を第二のデバイスに送信することを特徴とする請求項１に記載のデータ送信システム。
【請求項３】
前記転送情報は、前記画像データの送信に利用されるプロトコルと、送信される前記画像データの形式と、前記画像データが送信される宛先のアドレスとを含むことを特徴とする請求項１または２に記載のデータ送信システム。
【請求項４】
前記生成手段は、組合わせる複数のデバイスの全てが前記タイプである場合、前記受信手段及び前記送信手段を備えた代理装置を示す情報を、前記転送情報に記述することを特徴とする請求項１乃至３の何れかに記載のデータ送信システム。
【請求項５】
複数のデバイスそれぞれに対応するデバイス情報に基づいて、前記複数のデバイスそれぞれが能動的にデータ通信を開始できる外部装置からの指示に従って受動的に外部装置とのデータ通信を実行するタイプであるか否かを示す情報を含む、複数のデバイスの組み合わせを記述した転送情報を生成する生成工程と、
生成された前記転送情報のうちから、ユーザによる転送情報の選択を受け付ける操作工程と、
選択された前記転送情報に示された第一のデバイスが前記タイプであり、選択された前記転送情報に示された第二のデバイスが前記タイプである場合、前記第一のデバイスから前記第二のデバイスに画像データを送信するために、前記第一のデバイス及び第二のデバイスとデータ通信を能動的に開始する通信工程と
を備えることを特徴とするデータ送信方法。
【請求項６】
前記通信工程では、前記第一のデバイスを制御するために、選択された前記転送情報を前記第一のデバイスに送信し、前記第二のデバイスを制御するために、選択された前記転送情報を第二のデバイスに送信することを特徴とする請求項５に記載のデータ送信方法。
【請求項７】
前記転送情報は、前記画像データの送信に利用されるプロトコルと、送信される前記画像データの形式と、前記画像データが送信される宛先のアドレスとを含むことを特徴とする請求項５または６に記載のデータ送信方法。
【請求項８】
前記生成工程は、組合わせる複数のデバイスの全てが前記タイプである場合、前記受信手段及び前記送信手段を備えた代理装置を示す情報を、前記転送情報に記述することを特徴とする請求項５乃至７の何れかに記載のデータ送信方法。
【請求項９】
データ送信方法をコンピュータにより実行させるためのプログラムを記録したコンピュータ可読記憶媒体であって、前記データ送信方法は、
複数のデバイスそれぞれに対応するデバイス情報に基づいて、前記複数のデバイスそれぞれが能動的にデータ通信を開始できる外部装置からの指示に従って受動的に外部装置とのデータ通信を実行するタイプであるか否かを示す情報を含む、複数のデバイスの組み合わせを記述した転送情報を生成する生成工程と、
生成された前記転送情報のうちから、ユーザによる転送情報の選択を受け付ける操作工程と、
選択された前記転送情報に示された第一のデバイスが前記タイプであり、選択された前記転送情報に示された第二のデバイスが前記タイプである場合、前記第一のデバイスから前記第二のデバイスにデータを送信するために、前記第一のデバイス及び第二のデバイスとデータ通信を能動的に開始する通信工程と
を備えることを特徴とするコンピュータ可読記憶媒体。
【請求項１０】
複数のデバイスそれぞれに対応するデバイス情報に基づいて、前記複数のデバイスそれぞれが能動的に外部装置とのデータ通信を実行するタイプであるか否かを示す情報を含む、複数のデバイスの組み合わせを記述した転送情報を生成する生成手段と、
生成された前記転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスからの指示に応じて前記第一のデバイスとデータ通信を開始する受信手段と、
選択された前記転送情報に示された第二のデバイスが前記タイプである場合、受信した画像データを前記第二のデバイスに送信するために、前記第二のデバイスからの指示に応じて前記第二のデバイスとデータ通信を開始する送信手段と
を備えることを特徴とするデータ送信システム。
【請求項１１】
前記第一のデバイスから画像データを受信し、前記第二のデバイスへ前記画像データを送信するために、選択された前記転送情報を取得する取得手段を更に備えることを特徴とする請求項１０に記載のデータ送信システム。
【請求項１２】
前記転送情報は、前記画像データの送信に利用されるプロトコルと、送信される前記画像データの形式と、前記画像データが送信される宛先のアドレスとを含むことを特徴とする請求項１０または１１に記載のデータ送信システム。
【請求項１３】
生成された前記転送情報を識別するために前記第一のデバイスから前記第一の識別情報を受信し、生成された前記転送情報を識別するために前記第二の識別情報を受信する識別情報受信手段を更に備え、
前記送信手段は、前記第二の識別情報が前記第一の識別情報と一致する場合、前記画像データを送信することを特徴とする請求項１０乃至１２のいずれか１項に記載のデータ送信システム。
【請求項１４】
前記生成手段は、組合わせる複数のデバイスの全てが前記タイプである場合、前記受信手段及び前記送信手段を備えた代理装置を示す情報を、前記転送情報に記述することを特徴とする請求項１０乃至１３の何れかに記載のデータ送信システム。
【請求項１５】
複数のデバイスそれぞれに対応するデバイス情報に基づいて、前記複数のデバイスそれぞれが能動的に外部装置とのデータ通信を実行するタイプであるか否かを示す情報を含む、複数のデバイスの組み合わせを記述した転送情報を生成する生成工程と、
生成された前記転送情報のうちから、ユーザによる転送情報の選択を受け付ける操作工程と、
選択された前記転送情報に示された第一のデバイスが前記タイプである場合、前記第一のデバイスから画像データを受信するために、前記第一のデバイスからの指示に応じて前記第一のデバイスとデータ通信を開始する受信工程と、
選択された前記転送情報に示された第二のデバイスが前記タイプである場合、受信した画像データを前記第二のデバイスに送信するために、前記第二のデバイスからの指示に応じて前記第二のデバイスとデータ通信を開始する送信工程と
を備えることを特徴とするデータ送信方法。
【請求項１６】
前記第一のデバイスから画像データを受信し、前記第二のデバイスへ前記画像データを送信するために、選択された前記転送情報を取得する取得工程を更に備えることを特徴とする請求項１５に記載のデータ送信方法。
【請求項１７】
前記転送情報は、前記画像データの送信に利用されるプロトコルと、送信される前記画像データの形式と、前記画像データが送信される宛先のアドレスとを含むことを特徴とする請求項１５または１６に記載のデータ送信方法。
【請求項１８】
生成された前記転送情報を識別するために前記第一のデバイスから前記第一の識別情報を受信し、生成された前記転送情報を識別するために前記第二の識別情報を受信する識別情報受信工程を更に備え、
前記送信工程は、前記第二の識別情報が前記第一の識別情報と一致する場合、前記画像データを送信することを特徴とする請求項１５乃至１７のいずれか１項に記載のデータ送信方法。
【請求項１９】
前記生成工程は、組合わせる複数のデバイスの全てが前記タイプである場合、前記受信手段及び前記送信手段を備えた代理装置を示す情報を、前記転送情報に記述することを特徴とする請求項１５乃至１８の何れかに記載のデータ送信方法。
【請求項２０】
データ送信方法をコンピュータにより実行させるためのプログラムを記録したコンピュータ可読記憶媒体であって、前記データ送信方法は、
複数のデバイスそれぞれに対応するデバイス情報に基づいて、前記複数のデバイスそれぞれが能動的に外部装置とのデータ通信を実行するタイプであるか否かを示す情報を含む、複数のデバイスの組み合わせを記述した転送情報を生成する生成工程と、
生成された前記転送情報のうちから、ユーザによる転送情報の選択を受け付ける操作工程と、
選択された前記転送情報に示された第一のデバイスが前記タイプである場合、前記第一のデバイスから画像データを受信するために、前記第一のデバイスからの指示に応じて前記第一のデバイスとデータ通信を開始する受信工程と、
選択された前記転送情報に示された第二のデバイスが前記タイプである場合、受信した画像データを前記第二のデバイスに送信するために、前記第二のデバイスからの指示に応じて前記第二のデバイスとデータ通信を開始する送信工程と
を備えることを特徴とするコンピュータ可読記憶媒体。
【請求項２１】
複数のデバイスそれぞれに対応するデバイス情報に基づいて、前記複数のデバイスそれぞれが能動的にデータ通信を開始できる外部装置からの指示に従って受動的に外部装置とのデータ通信を実行するタイプであるか否かを示す情報を含む、複数のデバイスの組み合わせを記述した転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスとデータ通信を能動的に開始する受信手段と、
選択された前記転送情報に示された第二のデバイスが前記タイプである場合、受信した画像データを前記第二のデバイスに送信するために、前記第二のデバイスとデータ通信を能動的に開始する送信手段と
を備えることを特徴とするデータ送信システム。
【請求項２２】
複数のデバイスそれぞれに対応するデバイス情報に基づいて、前記複数のデバイスそれぞれが能動的に外部装置とのデータ通信を実行するタイプであるか否かを示す情報を含む、複数のデバイスの組み合わせを記述した転送情報を生成する生成手段と、
生成された前記転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスからの指示に応じて前記第一のデバイスとデータ通信を開始する受信手段と、
選択された前記転送情報に示された第二のデバイスが前記タイプである場合、受信した画像データを前記第二のデバイスに送信するために、前記第二のデバイスからの指示に応じて前記第二のデバイスとデータ通信を開始する送信手段と
を備えることを特徴とするデータ送信システム。
【手続補正２】
【補正対象書類名】明細書
【補正対象項目名】発明の名称
【補正方法】変更
【補正の内容】
【発明の名称】データ送信装置及び方法
【手続補正３】
【補正対象書類名】明細書
【補正対象項目名】００１５
【補正方法】変更
【補正の内容】
【００１５】
複数のデバイスそれぞれに対応するデバイス情報に基づいて、前記複数のデバイスそれぞれが能動的にデータ通信を開始できる外部装置からの指示に従って受動的に外部装置とのデータ通信を実行するタイプであるか否かを示す情報を含む、複数のデバイスの組み合わせを記述した転送情報を生成する生成手段と、
生成された前記転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスとデータ通信を能動的に開始する受信手段と
選択された前記転送情報に示された第二のデバイスが前記タイプである場合、受信した画像データを前記第二のデバイスに送信するために、前記第二のデバイスとデータ通信を能動的に開始する送信手段とを備える。
【手続補正４】
【補正対象書類名】明細書
【補正対象項目名】００１６
【補正方法】変更
【補正の内容】
【００１６】
あるいは、複数のデバイスそれぞれに対応するデバイス情報に基づいて、前記複数のデバイスそれぞれが能動的に外部装置とのデータ通信を実行するタイプであるか否かを示す情報を含む、複数のデバイスの組み合わせを記述した転送情報を生成する生成手段と、
生成された前記転送情報のうちから、ユーザによる転送情報の選択を受け付ける操作手段と、
選択された前記転送情報に示された第一のデバイスが前記タイプである場合、前記第一のデバイスから画像データを受信するために、前記第一のデバイスからの指示に応じて前記第一のデバイスとデータ通信を開始する受信手段と
選択された前記転送情報に示された第二のデバイスが前記タイプである場合、受信した画像データを前記第二のデバイスに送信するために、前記第二のデバイスからの指示に応じて前記第二のデバイスとデータ通信を開始する送信手段とを備える。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】